(57)【要約】【課題】パレットにおかれた荷物が比較的軽量であり、その量も少ない場合に該荷物が置かれたパレットを高価で特殊な操作や免許等を必要としない、荷物の載せられたパレットを手軽に移動が可能であると共に、パレットに載せられていない種々の荷物の移動もし得る低コストの人力荷物兼パレット移動用台車を提供することにある。【解決手段】人力荷物兼パレット移動用台車を本体を構成する本体フレーム部と、該本体フレーム部に連結する、フォークを支持するフォーク支持部と、パレットの溝に差し込んでパレットを昇降可能に支持するフォーク部と、手押しハンドル部と、荷皿を載せる荷受台部と、車輪支持部に回転自在に取り付けられる車輪部と、V字脚部と、により構成し、荷物を載せたパレットの溝に人力によりフォーク部を挿し込んで、荷物を載せたパレットを地面より浮かせた状態で、該パレットを移動し得る人力荷物兼パレット移動用台車を構成する。【選択図】図１
0003167528.tif 000002
【実用新案登録請求の範囲】
【請求項１】
人力によってパレットの溝に挿入させることができる荷受け用のフォークを前面に備えた人力荷物兼パレット移動用台車であって、
前記人力荷物兼パレット移動用台車は、台車の本体を構成する本体フレーム部と、前記本体フレーム部に連結して設けられ、フォークを車長方向に挿入し固定するフォーク支持部と、前記フォーク支持部に挿入・固定されない側の端をパレットの溝に差し込んでパレットを昇降可能に支持するフォーク部と、前記フォーク部と異なる端の本体フレーム部に設けられ、左右1対のハンドルを有する手押しハンドル部と、前記本体フレーム部に連結して前記手押しハンドル部と前記フォーク支持部の中間に配置される荷受台部と、前記フォーク支持部の本体フレーム部底面側に設置された車輪支持部に回転自在に取り付けられた車輪部と、前記荷受台部の本体フレーム部底面側に設置されたV字脚部と、を有し、
前記フォーク部は、折れ曲り形状を有するフォークにより構成し、
前記車輪部は２輪により構成され、
人力により前記フォーク部を昇降して、荷物を載せたパレットを昇降可能に操作し簡易に荷物を運搬することを可能とすることを特徴とする人力荷物兼パレット移動用台車。
【請求項２】
人力によってパレットの溝に挿入させることができる荷受け用のフォークを前面に備えた人力荷物兼パレット移動用台車であって、
前記人力荷物兼パレット移動用台車は、台車の本体を構成する本体フレーム部と、前記本体フレーム部に連結して設けられ、フォークを車長方向に挿入し固定するフォーク支持部と、前記フォーク支持部に挿入・固定されない側の端をパレットの溝に差し込んでパレットを昇降可能に支持するフォーク部と、前記フォーク部と異なる端の本体フレーム部に設けられ、左右1対のハンドルを有する手押しハンドル部と、前記本体フレーム部に連結して前記手押しハンドル部と前記フォーク支持部の中間に配置される荷受台部と、前記フォーク支持部の本体フレーム部底面側に設置された車輪支持部に回転自在に取り付けられた車輪部と、前記荷受台部の本体フレーム部底面側に設置されたV字脚部と、を有し、
前記フォーク部は、折れ曲り形状を有するフォークにより構成し、
前記車輪部は１輪により構成し、
人力により前記フォーク部を昇降して、荷物を載せたパレットを昇降可能に操作し簡易に荷物を運搬することを可能とすることを特徴とする人力荷物兼パレット移動用台車。
【請求項３】
請求項１または２に記載の人力荷物兼パレット移動用台車において、
前記荷受台部および前記本体フレーム部の上に、着脱可能に固定される荷皿を備えることを特徴とする人力荷物兼パレット移動用台車。
【考案の詳細な説明】
【技術分野】
【０００１】
本考案は、種々の荷物が載せられたパレットを人力で簡易に移動し得る、人力荷物兼パレット移動用台車に関する。
【背景技術】
【０００２】
各種建築資材、灯油が入れられたポリタンク等、ある程度の重量を有するものは、移動・運搬の際には一般的にパレットといわれる台に置かれる。前記パレットは荷物が置かれた下に、溝が設置され、この溝に、一般的にフォークといわれる食事の際に使用するフォークの先に似た形状を大きくしたような形状のアーム（以下「フォーク部」ともいう）を挿し込み、該フォーク部を持ち上げることにより、各種建築資材、灯油が入れられたポリタンク等、ある程度の重量を有するものが置かれたパレットを移動させている。
【０００３】
このようなものは一般的に、フォークリフトトラックといわれて、動力源として、電気、ガソリン、液化石油ガス等を使用するものが一般的である。一部には手動のものもあるが、汎用性が乏しくまた、高価である。
【先行技術文献】
【特許文献】
【０００４】
【特許文献１】特開平１１―９１５７３
【考案の概要】
【考案が解決しようとする課題】
【０００５】
しかしながら、これらのフォークリフトトラックは重量のある荷物を、効率的に移動できるという長所を有する反面、高価であり、またその操作には、操作技術と免許を必要とする。
【０００６】
一方、前記パレットにおかれた荷物が比較的軽量であり、その量も少ない場合には、
その移動のために操作技術と免許が必要であり、高価なフォークリフトトラックを使用することは、大規模な建築現場や大量の資材の移動が必要な場合には適しているが、少量の荷物の移動や頻繁に荷物を移動する必要性のない場合には、コスト的に妥当性を欠き実用的ではない。
【０００７】
そこで、本考案の目的は、少量の荷物の移動や頻繁に荷物を移動する必要性のない場合に、特別な免許等を必要とせず、荷物の載せられたパレットを手軽に移動し得る低コストの人力荷物兼パレット移動用台車を提供することにある。
【課題を解決するための手段】
【０００８】
請求項１に記載された考案は、人力によってパレットの溝に挿入させることができる荷受け用のフォークを前面に備えた人力荷物兼パレット移動用台車であって、
前記人力荷物兼パレット移動用台車は、台車の本体を構成する本体フレーム部と、前記本体フレーム部に連結して設けられ、フォークを車長方向に挿入し固定するフォーク支持部と、前記フォーク支持部に挿入・固定されない側の端をパレットの溝に差し込んでパレットを昇降可能に支持するフォーク部と、前記フォーク部と異なる端の本体フレーム部に設けられ、左右1対のハンドルを有する手押しハンドル部と、前記本体フレーム部に連結して前記手押しハンドル部と前記フォーク支持部の中間に配置される荷受台部と、前記フォーク支持部の本体フレーム部底面側に設置された車輪支持部に回転自在に取り付けられた車輪部と、前記荷受台部の本体フレーム部底面側に設置されたV字脚部と、を有し、
前記フォーク部は、折れ曲り形状を有するフォークにより構成し、
前記車輪部は２輪により構成され、
人力により前記フォーク部を昇降して、荷物を載せたパレットを昇降可能に操作し簡易に荷物を運搬することを可能とすることを特徴とする。
【０００９】
請求項２に記載された考案は、人力によってパレットの溝に挿入させることができる荷受け用のフォークを前面に備えた人力荷物兼パレット移動用台車であって、
前記人力荷物兼パレット移動用台車は、台車の本体を構成する本体フレーム部と、前記本体フレーム部に連結して設けられ、フォークを車長方向に挿入し固定するフォーク支持部と、前記フォーク支持部に挿入・固定されない側の端をパレットの溝に差し込んでパレットを昇降可能に支持するフォーク部と、前記フォーク部と異なる端の本体フレーム部に設けられ、左右1対のハンドルを有する手押しハンドル部と、前記本体フレーム部に連結して前記手押しハンドル部と前記フォーク支持部の中間に配置される荷受台部と、前記フォーク支持部の本体フレーム部底面側に設置された車輪支持部に回転自在に取り付けられた車輪部と、前記荷受台部の本体フレーム部底面側に設置されたV字脚部と、を有し、
前記フォーク部は、折れ曲り形状を有するフォークにより構成し、
前記車輪部は１輪により構成し、
人力により前記フォーク部を昇降して、荷物を載せたパレットを昇降可能に操作し簡易に荷物を運搬することを可能とすることを特徴とする。
【００１０】
請求項３に記載された考案は、請求項１または２に記載の人力荷物兼パレット移動用台車に係り、前記荷受台部および前記本体フレーム部の上に、着脱可能に固定される荷皿を備えることを特徴とする。
【考案の効果】
【００１１】
本考案に係る人力荷物兼パレット移動用台車によれば、操作技術と免許が必要であり、高価なフォークリフトトラックを使用することなく、少量の荷物が載せられたパレットを手軽に移動することが可能となる。もちろん、パレットの移動だけではなく、該人力荷物兼パレット移動用台車の荷皿を利用して、荷皿の上に載せられた物の移動も可能である。
【図面の簡単な説明】
【００１２】
【図１】本考案の２輪の人力荷物兼パレット移動用台車によりパレットを持ち上げる様子を示す説明用斜視図である。
【図２】本考案の２輪の人力荷物兼パレット移動用台車の構成を示す説明用斜視図である。
【図３】本考案の１輪の人力荷物兼パレット移動用台車の構成を示す説明用斜視図である。
【図４】本考案の荷皿を設置した人力荷物兼パレット移動用台車の説明用斜視図である。
【考案を実施するための形態】
【００１３】
本考案によれば、種々の荷物が置かれたパレットを特に特別な操作技術や、免許等を必要としない比較的安価な人力荷物兼パレット移動用台車により、移動できる。
以下図面に基づいて、本考案に係る人力荷物兼パレット移動用台車の実施の形態を説明する。
（実施の形態）
【００１４】
図１は、本考案の２輪の人力荷物兼パレット移動用台車によりパレットを持ち上げる様子を示す説明用斜視図である。図２は、図１の本考案の２輪の人力荷物兼パレット移動用台車の構成を示す説明用斜視図である。
【００１５】
図１に示された本考案に係る人力荷物兼パレット移動用台車は、台車の本体を構成する本体フレーム部１０５と、前記本体フレーム部に連結して設けられフォークを支持するフォーク支持部１２０と、前記フォーク支持部に挿入・固定され、パレットの溝に差し込んでパレットを昇降可能に支持するフォーク部１１０と、前記フォーク部と異なる端の本体フレーム部に設けられ、左右1対のハンドルを有する手押しハンドル部１５０と、前記手押しハンドル部と前記フォーク支持部の中間に位置し、前記本体フレーム部に連結する荷受台部１４０と、前記フォーク支持部の本体フレーム部底面側に設置された車輪支持部に回転自在に取り付けられた車輪部１３０と、前記荷受台部の本体フレーム部底面側に設置されたV字脚部１６０より構成される。
【００１６】
図１において、１０１はパレットであり、１０２はパレット上に積まれた荷物であって、例えば灯油が入れられたポリタンク等である。図１に示された本考案に係る人力荷物兼パレット移動用台車１００によりパレットを持ち上げて移動する際に、パレットが地面に対して傾斜し過ぎてしまうとパレット上の積荷１０２が荷崩れを起こすので、パレット１０１の地面に対する角度の調整し、できる限り荷物を積んだパレットを地面と水平にすることが重要である。手押しハンドル部のハンドル１５１を地面に対して上下することによって該角度の調整を行う。このハンドル操作には注意を要するものの本考案に係る人力荷物兼パレット移動用台車により、簡易にパレット上の荷物を移動させることができる。
【００１７】
図１においてフォーク部１１０は、２本のフォーク１１１から構成され、それぞれのフォークの形状は中間部に折れ曲がり部分１１２を有する。２本のフォーク１１１のパレットに差し込まれない側の端は、フォーク支持部１２０の底面に付設されるフォーク挿入部１２１の中に、それぞれ挿入されてネジ等で固定されている。フォーク１１１の折れ曲がり部分１１２は、運搬車本体フレーム部１０５に対して地面と逆側に鈍角に持ち上がった形状であり、このフォークの先端部が曲がっている形状により、地面上に置かれたパレットの溝に両フォーク１１１を差し込む際に、ハンドル操作が容易になりフォークをパレットの溝に挿入し易い。本考案の人力荷物兼パレット移動用台車によれば１対のフォーク１１１が中間部が折れ曲った形状であることにより、人は容易にハンドル操作により、フォーク１１１を地面と略水平にできてパレットにフォークを挿入または離脱することができる。但し、図１におけるフォークの数及び形状は例示であってこれに限定されるものではない。
【００１８】
図１において、車輪部１３０は２輪の車輪１３１より構成され、車輪支持部１２５は、フォーク支持部１２０の底面に付設される。車輪１３１はそれぞれ車輪支持部１２５の車軸取り付けフレームに回転自在に取り付けられる。本考案の人力荷物兼パレット移動用台車は車輪が２輪であることにより安定性を保ちつつ効率的に荷物の運搬をすることが可能である。なお、図１に示す車輪支持部は例示であって形状等はこれに限定されるものではない。
【００１９】
また、車輪の数は１輪であってもよく、図３は本考案の１輪の人力荷物兼パレット移動用台車の構成を示す説明用斜視図である。本考案の人力荷物兼パレット移動用台車の構成は、車輪の数が１輪であるため、相応して車輪支持部も一つである以外は、図１に示した２輪の場合と同様である。１輪の場合には２輪の運搬車に比べて車体のバランスは保ち難いが、狭い場所内での移動や比較的軽量の荷物の運搬には小回りが利いて有用と思われる。車輪が１輪の場合には、車輪支持部は２つのフォーク挿入部１２１の中間に配置される。
【００２０】
図１において荷受台部１４０は、フォーク支持部１２０と手押しハンドル部１５０の左右のハンドル１５１を連結し、本体フレーム１０５と一体化する部分である。V字脚部１６０は、左右のハンドル１５１に連結する荷受台部１４０の本体フレーム１０５の底面側に設置される左右1対のV字脚と、左右のV字脚１６１を連結するアーム１６３より構成される。本考案の人力荷物兼パレット移動用台車はV字脚部１６０により地面上に安定して停車でき、人力でのハンドル操作によりフォークの操作が容易にできて、パレット上の積荷作業は効率的に行える。
【００２１】
図４は、本考案の人力荷物兼パレット移動用台車に、パレットに載せられない荷物を載せるための荷皿を設置した場合の説明図である。荷皿１４１は、荷受台部１４０と前記本体フレーム部の上に、着脱自在にビス等により構成された留め金具１４２で簡易に設置されるため、必要に応じて使用することが可能である。本考案の人力荷物兼パレット移動用台車はパレット移動用の台車であるが、一方では、砂、泥沙、小石等の資材を運搬する際には、荷受台部１４０に荷皿を固定してそれらを荷皿に入れて運搬することが可能である。また、この場合必要に応じて、フォーク部を取り除くこともできる。本考案の人力荷物兼パレット移動用台車は操作が簡易であり低価格である他に、パレットを使用しない荷物の移動も可能である点に特徴がある。
【産業上の利用可能性】
【００２２】
本考案によれば、種々の荷物が置かれたパレットを特に特別な操作技術や、免許等を必要としない比較的安価な人力荷物兼パレット移動用台車により移動でき、種々の荷物の移動の効率化とコストの削減が可能となる。
【符号の説明】
【００２３】
１０１      パレット
１０２      パレット上の積荷
１０５      本体フレーム部
１１０      フォーク部
１１１      フォーク
１１２      折れ曲り部
１２０      フォーク支持部
１２１      フォーク挿入部
１２５      車輪支持部
１３０      車輪部
１３１      車輪
１４０      荷受台部
１４１      荷皿
１４２      留め金具
１５０      手押しハンドル部
１５１      ハンドル
１６０      V字脚部
１６１      V字脚
１６３      V字脚連結アーム
【図１】
0003167528.tif 000003
【図２】
0003167528.tif 000004
【図３】
0003167528.tif 000005
【図４】
0003167528.tif 000006